(57)【特許請求の範囲】
【請求項１】
外部装置から受信したコンテンツデータを記録する記録部と、
前記コンテンツデータの再生順序に関する再生番号を保持する情報保持部と、
前記再生順序に関する再生番号に基づき、前記記録したコンテンツデータを再生する再生部と、
前記受信したコンテンツデータに対して再生番号を付与するとともに、前記情報保持部に保持された再生番号に対応するコンテンツデータが次に再生されるように、前記再生部を制御する制御部とを備え、
前記制御部は、前記記録したコンテンツデータのうち、最後に記録したコンテンツデータから順に再生されるように、前記情報保持部に保持された再生番号を前記最後に記録したコンテンツデータの再生番号に更新記憶する、データ端末装置。
【請求項２】
前記コンテンツデータの受信時、
前記制御部は、前記受信した複数のコンテンツデータの各々に対して再生番号を付与して記録し、前記付与した再生番号に基づいて、前記受信した複数のコンテンツデータのうち、再生番号が最も小さいコンテンツデータが次に再生されるように前記情報保持部に保持されたコンテンツデータの再生順序に関する再生番号を、前記最も小さい再生番号に更新記憶する、請求項１に記載のデータ端末装置。
【請求項３】
記録部は、コンテンツデータと再生番号との関連付けを行なう再生リストを含み、
前記制御部は、前記再生リストに含まれる再生番号を読出し、前記情報保持部のコンテンツデータの再生順序に関する再生番号を前記読出した再生番号に更新記憶する、請求項１または請求項２に記載のデータ端末装置。
【請求項４】
前記外部装置は、もう１つのデータ端末装置である、請求項１から請求項３のいずれか１項に記載のデータ端末装置。
【請求項５】
前記外部装置は、コンテンツデータを保持した配信サーバである、請求項１から請求項３のいずれか１項に記載のデータ端末装置。
【請求項６】
前記情報保持部は、前記記録部内に設けられる、請求項１から請求項３のいずれか１項に記載のデータ端末装置。
【発明の詳細な説明】
【０００１】
【発明の属する技術分野】
この発明は、コンテンツデータを外部装置から受信したとき、最後に受信したコンテンツデータから再生を開始するデータ端末装置に関するものである。
【０００２】
【従来の技術】
近年、インターネット等の情報通信網等の進歩により、携帯電話機等を用いた個人向け端末により、各ユーザが容易にネットワーク情報にアクセスすることが可能となっている。
【０００３】
そして、ユーザは、携帯電話機等によりネットワークを介して各種のコンテンツデータをダウンロードする。
【０００４】
コンテンツデータをダウンロードするときは、携帯電話機等は、コンテンツデータを保持するサーバへアクセスし、ダウンロードを希望するコンテンツデータを特定する情報をサーバへ送信する。
【０００５】
そうすると、サーバは、コンテンツデータを特定する情報に基づいて、コンテンツデータを特定し、そのコンテンツデータを携帯電話機等へ送信する。
【０００６】
そして、携帯電話機等は、受信したコンテンツデータを記録媒体に記録する。また、携帯電話機等は、記録媒体からコンテンツデータを再生するとき、コンテンツデータがダウンロードされた順序に従ってコンテンツデータを再生する。
【０００７】
【発明が解決しようとする課題】
しかし、通常、ユーザは受信したコンテンツデータを直ちに再生して受信したコンテンツデータが期待とおりのコンテンツデータであるか否かを確認したい。ところが、従来のコンテンツ再生装置は、コンテンツデータを記録した順序で再生するため、ユーザの操作なくして再生することができない。受信したコンテンツデータを直ちに再生しようとした場合、そのコンテンツデータを検索する必要があり、手間がかかるという問題があった。
【０００８】
そこで、この発明は、かかる問題を解決するためになされたものであり、その目的は、コンテンツデータを受信したとき、新たに受信したコンテンツデータから再生することができるデータ端末装置を提供することである。
【０００９】
【課題を解決するための手段および発明の効果】
この発明によるデータ端末装置は、外部装置から受信したコンテンツデータを記録する記録部と、前記コンテンツデータの再生順序に関する再生番号を保持する情報保持部と、前記再生順序に関する再生番号に基づき、前記記録したコンテンツデータを再生する再生部と、前記受信したコンテンツデータに対して再生番号を付与するとともに、前記情報保持部に保持された再生番号に対応するコンテンツデータが次に再生されるように、前記再生部を制御する制御部とを備え、前記制御部は、前記記録したコンテンツデータのうち、最後に記録したコンテンツデータから順に再生されるように、前記情報保持部に保持された再生番号を前記最後に記録したコンテンツデータの再生番号に更新記憶する。
【００１０】
この発明によるデータ端末装置においては、コンテンツデータの受信時、外部装置から受信したコンテンツデータの再生順序を示す再生番号を情報保持部に更新記録する。そして、コンテンツデータを再生するとき、情報保持部に記憶された再生番号を読出し、その再生番号に該当するコンテンツデータから再生される。なお、更新記憶とは、既に再生番号が記憶されているとき、記憶されている再生番号を消去し、新たに受信したコンテンツデータの再生番号を記憶することを意味する。以下においても同様である。
【００１１】
したがって、この発明によれば、ユーザは受信したコンテンツデータから再生したいとき、コンテンツデータを検索する手間を掛けずに、受信したコンテンツデータから再生することができる。
【００１２】
好ましくは、コンテンツデータの受信時、制御部は、受信した複数のコンテンツデータの各々に対して再生番号を付与して記録し、付与した再生番号に基づいて、受信した複数のコンテンツデータのうち、再生番号が最も小さいコンテンツデータが次に再生されるように情報保持部に保持されたコンテンツデータの再生順序に関する再生番号を、前記最も小さい再生番号に更新記憶する。
【００１３】
外部装置から複数のコンテンツデータが受信されるとき、制御部は、その受信した複数のコンテンツデータのうち、再生番号が最も小さいコンテンツデータから再生が開始されるように前記最も小さい再生番号を情報保持部に更新記憶する。そして、再生時、情報保持部に更新記憶された再生番号に該当するコンテンツデータから再生を開始する。
【００１４】
したがって、この発明によれば、複数のコンテンツデータを新たに受信したとき、新たに受信した複数のコンテンツデータを再生番号の若い順に再生できる。
【００１５】
好ましくは、記録部は、コンテンツデータと再生番号との関連付けを行なう再生リストを含み、データ端末装置の制御部は、再生リストに含まれる再生番号を読出し、情報保持部のコンテンツデータの再生順序に関する再生番号を前記読出した再生番号に更新記憶する。
【００１６】
制御部は、記録部の再生リストに含まれる再生番号を読出し、その読出した再生番号を情報保持部に更新記憶する。そして、コンテンツデータの再生時、情報保持部に記憶された再生番号を読出し、その再生番号を記録部に送ると、記録部は再生リストに基づいて、受取った再生番号に対応するコンテンツデータをデータ端末装置へ送る。データ端末装置の制御部は、受取ったコンテンツデータを再生部に与える。
【００１７】
したがって、この発明によれば、再生リストによって再生番号とコンテンツデータとを対応付けることができる。つまり、再生番号を特定すれば、特定した再生番号に対応するコンテンツデータの位置を特定でき、対応するコンテンツデータを記録部から読出すことができる。
【００１８】
好ましくは、外部装置は、もう１つのデータ端末装置である。
もう１つのデータ端末装置は、コンテンツデータを受信する。そして、データ端末装置は、もう１つのデータ端末装置へアクセスし、もう１つのデータ端末装置から希望するコンテンツデータを受信する。そして、コンテンツデータを受信したデータ端末装置の制御部は、受信したコンテンツデータの再生番号をメモリに更新記憶する。
【００１９】
したがって、この発明によれば、コンテンツデータを受信した他のデータ端末装置からコンテンツデータを受信した場合にも、受信したコンテンツデータから再生できる。
【００２０】
好ましくは、外部装置は、コンテンツデータを保持した配信サーバである。
データ端末装置は、配信サーバへアクセスして希望するコンテンツデータを受信する。そして、制御部は、受信したコンテンツデータの再生番号を情報保持部に更新記憶する。
【００２１】
したがって、この発明によれば、データ端末装置によって配信サーバへアクセスし、配信サーバから希望するコンテンツデータを受信し、その受信したコンテンツデータから再生できる。
【００２２】
好ましくは、情報保持部は、記録部内に設けられる。
情報保持部は、記録部内に設けられ、データ端末装置の制御部は、コンテンツデータの再生時、記録部の情報保持部にアクセスし、次に再生されるべき再生番号を取得した後に、その再生番号に該当するコンテンツデータから再生を開始する。
【００２３】
したがって、この発明によれば、コンテンツデータと、次に再生されるべきコンテンツデータの再生番号とを一体的に記憶できる。その結果、新たに受信したコンテンツデータからの再生を確実に開始できる。
【００２７】
【発明の実施の形態】
本発明の実施の形態について図面を参照しながら詳細に説明する。なお、図中同一または相当部分には同一符号を付してその説明は繰返さない。
【００２８】
本発明においては、配信されるコンテンツデータは音楽データに限らず、画像データ（静止画像、動画像の両方を含む。）、テキストデータ等のどのようなデータであっても良い。また、コンテンツデータは、平文のまま配信されても良いし、所定の暗号化方式によって暗号化した後に配信しても良い。
【００２９】
このように本発明においては、各種のコンテンツデータが対象となるが、以下においては、説明を簡単化するために音楽データを例にして説明する。
【００３０】
本発明によるデータ端末装置が再生の対象とするコンテンツデータの配信システムについて説明する。
【００３１】
［実施の形態１］
図１は、実施の形態１における携帯電話網を用いたコンテンツデータの配信システムを示したものである。配信サーバ１０は、コンテンツデータである複数の音楽データを保持する。携帯電話機３０のユーザは、携帯電話網２０を介して配信サーバ１０に対して電話を掛け、受信を希望する音楽データの曲名を指定する。
【００３２】
そうすると、配信サーバ１０は、指定された曲名の音楽データを保持するか否かを調べる。そして、配信サーバ１０は、指定された曲名の音楽データを保持するときは、指定された音楽データを携帯電話網２０を介して携帯電話機３０へ送信する。
【００３３】
携帯電話機３０は、受信した音楽データを装着されたメモリカード４０へ記録する。そして、携帯電話機３０のユーザは、後述する方法によって、音楽データがメモリカード４０へ配信された順序ではなく、メモリカード４０に最後に配信された音楽データから再生を開始する。そして、ユーザは、携帯電話機３０に接続されたヘッドホーン５０を介して再生された音楽を聴く。
【００３４】
なお、配信サーバ１０は、音楽データ（または暗号化音楽データと、コンテンツ鍵）の他に課金データベースを保持し、音楽データを携帯電話機３０へ配信する度に課金を行なっても良い。その場合、課金は、配信を要求された音楽データの曲数または配信時間に基づいて料金を決定しても良い。
【００３５】
図２を参照して、図１に示す携帯電話機３０は、通信部３０１と、キー操作部３０２と、コントローラ３０３と、ディスプレイ３０４と、メモリカードインタフェース３０５と、再生部３０６と、メモリ３０７と、スピーカ３０８と、端子３０９とを備える。
【００３６】
通信部３０１は、アンテナを含み、上述した配信システムにおいて、配信サーバ１０との間でデータのやり取りを行なう。キー操作部３０２は、携帯電話機３０のユーザが各種の情報を入力するためのものである。
【００３７】
コントローラ３０３は、キー操作部３０２を介して入力されたユーザからの音楽データの配信要求に応じて、配信サーバ１０へ音楽データの配信要求を送信するようにバスＢＳ２を介して通信部３０１を制御する。また、コントローラ３０３は、通信部３０１が配信サーバ１０から受信した音楽データをバスＢＳ１、およびメモリカードインタフェース３０５を介してメモリカード４０へ記録するとともに、その受信した音楽データの再生番号をメモリ３０７に更新記憶する。さらに、コントローラ３０３は、音楽データをメモリカード４０から再生するとき、後述するように、メモリ３０７に更新記憶された再生番号に該当する音楽データをメモリカードインタフェース３０５を介してメモリカード４０から読出し、その読出した音楽データを再生部３０６へ与える。
【００３８】
メモリカードインタフェース３０５は、バスＢＳ１とメモリカード４０との間でデータのやり取りを行なう。再生部３０６は、バスＢＳ１から入力された音楽データを再生し、再生信号をスピーカ３０８および端子３０９へ出力する。
【００３９】
メモリ３０７は、バスＢＳ１を介して再生番号等を一時的に記憶する。メモリ３０７に記憶されている再生番号は、１曲再生される毎に、次に、再生する曲の再生番号に更新記憶される。なお、「更新記憶」とは、既にメモリ３０７に記憶されている再生番号を消去し、新たに受信した音楽データの再生番号を記憶することを言う。
【００４０】
スピーカ３０８は、再生部３０６からの音楽データを再生した再生信号を外部へ出力する。端子３０９はヘッドホーン５０と接続されており、再生部３０６からの再生信号をヘッドホーン５０へ出力する。
【００４１】
図３を参照して、メモリカード４０のデータ構造について説明する。メモリカード４０は、メモリカード４０に記録された音楽データの再生順序を示す再生リスト６１を保持している。図３に示す場合は、４曲の音楽データがメモリカード４０に記録されているので、再生リスト６１は番号（Ｎｏ．）＝１〜４が詰まった状態になっている。再生リストの番号（Ｎｏ．）は音楽データの再生番号を示す。また、再生リスト６１は、音楽データに関連するメタデータの中から主要な関連情報であるタイトル、アーティスト名、および再生時間を抜き出して構成される。なお、メタデータは、音楽データのタイトル、アーティスト名、再生時間、作詞者、および作曲者等の関連情報から構成され、配信サーバ１０から携帯電話機３０へ音楽データが配信されるとき、音楽データとともに携帯電話機３０へ配信される。そして、音楽データと、メタデータとは、１つのファイルとしてメモリカード４０へ記録される。すなわち、図４に示すコンテンツ１〜４の各々は、音楽データと、メタデータとから成る。
【００４２】
メモリカード４０は、携帯電話機３０のコントローラ３０３から再生リスト６１の再生番号（Ｎｏ．）を指定されると、その番号に対応するコンテンツ（音楽データ）を読出すことができるデータ構造になっている。つまり、メモリカード４０は、再生リスト６１の番号と、コンテンツ（音楽データ）とを対応付けてコンテンツ（音楽データ）を記録している。
【００４３】
図４を参照して、図３に示すように４曲分の音楽データが記録された状態で、携帯電話機３０のユーザが１曲分の音楽データの配信を希望し、携帯電話機３０の通信部３０１が配信サーバ１０から１曲分の音楽データを受信すると、コントローラ３０３は、その受信した音楽データをバスＢＳ１およびメモリカードインタフェース３０５を介してメモリカード４０へ記録する。そうすると、メモリカード４０は、再生リスト６１の再生番号（Ｎｏ．）５の欄に携帯電話機３０が新たに受信した音楽データを追加し、再生番号５と新たに受信した音楽データとを対応付けて記録する。それとともに、コントローラ３０３は、新たに受信した音楽データの再生番号５をメモリ３０７に更新記憶する。この場合、メモリ３０７には、直前に再生された音楽データの再生番号が記憶されているので、メモリ３０７は、既に記憶されている再生番号を消去して新たに再生番号５を記憶する。
【００４４】
図５を参照して、図４に示すように５曲分の音楽データがメモリカード４０に記録された状態で、携帯電話機３０のユーザが３曲分の音楽データの配信を希望し、携帯電話機３０の通信部３０１が配信サーバ１０から３曲分の音楽データを受信すると、コントローラ３０３は、その受信した音楽データをバスＢＳ１およびメモリカードインタフェース３０５を介してメモリカード４０へ記録する。そうすると、メモリカード４０は、再生リスト６１の再生番号６〜８の欄６２に携帯電話機３０が新たに受信した３曲分の音楽データを追加し、再生番号６〜８の各々を、それぞれ、コンテンツ（音楽データ）６〜８と対応付けて記録する。そして、コントローラ３０３は、新たに受信した３曲分の音楽データの再生番号６〜８のうち、再生リストの最も前に記録された音楽データの再生番号６をメモリ３０７に更新記憶する。この場合、メモリ３０７は、既に記録されている再生番号を消去して新たに再生番号６を記憶する。
【００４５】
このように、携帯電話機３０が複数の音楽データを受信したとき、コントローラ３０３は、新たに受信した複数の音楽データのうち、再生リスト６１に最も早く再生するように追加された再生番号をメモリ３０７に更新記憶する。これによって、携帯電話機３０のユーザは、新たに受信した音楽データを、既に記録されている音楽データに優先して再生することができる。
【００４６】
図６を参照して、携帯電話機３０が新たに音楽データを受信し、その受信した音楽データを最初に再生するように設定するフローチャートについて説明する。キー操作部３０２を介して新たな音楽データの配信要求が入力されると、コントローラ３０３は、通信部３０１を制御して配信サーバ１０へ電話を掛け、配信サーバ１０に接続する（ステップＳ１）。そうすると、配信サーバ１０は、音楽データのメニューを携帯電話機３０へ送信する。そして、コントローラ３０３は、通信部３０１が受信した音楽データのメニューをディスプレイ３０４に表示する。
【００４７】
携帯電話機３０のユーザは、ディスプレイ３０４に表示された音楽データのメニューから配信を希望する音楽データを選択する。コントローラ３０３は、通信部３０１を介してユーザが選択した音楽データの番号を配信サーバ１０へ送信して取得コンテンツ（音楽データ）を選択する（ステップＳ２）。
【００４８】
そうすると、配信サーバ１０は、選択された音楽データを携帯電話機３０へ送信し、携帯電話機３０は、音楽データを受信する。コントローラ３０３は、受信した音楽データをメモリカードインタフェース３０５を介してメモリカード４０へ記録する。そうすると、メモリカード４０は、再生リスト６１に新たに受信した音楽データを追加し、その新たに受信した音楽データの再生番号と、音楽データとを対応付けて記録する（ステップＳ３）。
【００４９】
そして、コントローラ３０３は、メモリカード４０に記録した音楽データが最初に受信した音楽データか否かを判別する（ステップＳ４）。最初に受信した音楽データでないとき、ステップＳ６へ移行する。最初に受信した音楽データであるとき、コントローラ３０３は、その音楽データの再生番号をメモリ３０７に更新記憶する（ステップＳ５）。
【００５０】
そして、コントローラ３０３は、他の音楽データも取得するか否かを判別し（ステップＳ６）、他の音楽データも取得するとき、ステップＳ２〜Ｓ６の動作を繰返す。他の音楽データを取得しないとき、コントローラ３０３は、配信サーバ１０との接続を切断するように通信部３０１を制御して配信サーバ１０との接続が切断される。
【００５１】
これによって、一連の動作が終了する。
携帯電話機３０のユーザが、メモリカード４０に記録された音楽データを再生するとき、ユーザはキー操作部３０２を介して再生要求を入力する。そうすると、コントローラ３０３は、キー操作部３０２から入力された再生要求に応じて、メモリ３０７に記憶された再生番号を読出し、その読出した再生番号に対応する音楽データをメモリカードインタフェース３０５を介してメモリカード４０から読出す。
【００５２】
コントローラ３０３は、読出した音楽データを再生部３０６へ与える。再生部３０６は、入力された音楽データを再生し、スピーカ３０８または端子３０９を介してヘッドホーン５０へ出力する。
【００５３】
これによって、携帯電話機３０が受信した音楽データから再生を開始することができる。
【００５４】
本発明の実施の形態１によれば、携帯電話機は、配信サーバから新たに受信した音楽データの再生番号を記憶しており、再生要求が入力されると、その記憶した再生番号に該当する音楽データから再生を開始するので、携帯電話機のユーザは、新たに受信した音楽データを検索する手間を省いて、新たに受信した音楽データを直ぐに聴くことができる。
【００５５】
［実施の形態２］
図７を参照して、実施の形態２について説明する。携帯電話機３０は、配信サーバ１０から音楽データを受信し、その受信した音楽データを記録媒体４１に記録した携帯電話機３１にアクセスし、携帯電話機３１から希望する音楽データを受信しても良い。つまり、携帯電話機３０のユーザは、携帯電話機３１のユーザとの間で音楽データのやり取りを行ない、希望する音楽データを相手側から受信した場合にも、その受信した音楽データから再生を開始することが可能である。なお、図２においては、携帯電話機３１のユーザも、携帯電話機３１によって記録媒体４１から音楽データを再生し、ヘッドホーン５１を介して音楽を聴くことができる。
【００５６】
携帯電話機３０は、図６に示すフローチャートに従って携帯電話機３１から新たな音楽データを受信し、コントローラ３０３は、その受信した音楽データの再生番号をメモリ３０７に更新記憶する。
【００５７】
なお、携帯電話機３０が携帯電話機３１から音楽データを受信するとき、携帯電話機３０のユーザが携帯電話機３１へ電話を掛けて音楽データの送信を要求すると、携帯電話機３１は、図３に示す再生リスト６１と同じ構成から成る音楽データのメニューを携帯電話機３０へ送信する。そして、携帯電話機３０のコントローラ３０３は、受信した音楽データのメニューをディスプレイ３０４に表示し、携帯電話機３０のユーザは、ディスプレイ３０４に表示されたメニューから受信を希望する音楽データを選択する。その他の動作は、実施の形態１における説明と同じである。
【００５８】
本発明の実施の形態２によれば、他の携帯電話ユーザから音楽データを新たに受信した場合にも、その受信した音楽データを検索する手間を省いて新たに受信した音楽データを直ぐに聴くことができる。
【００５９】
［実施の形態３］
図８を参照して、実施の形態３について説明する。携帯電話機３０は、コンピュータ１４０に配信された音楽データを新たに受信しても良い。携帯電話機３０にはメモリカード４０が着脱可能であり、音楽を再生するためのヘッドホーン５０が接続されている。そして、携帯電話機３０は、通信ケーブル１４５を介してコンピュータ１４０と接続されている。
【００６０】
コンピュータ１４０は、ハードディスク１４１と、コントローラ１４２と、外部インタフェース１４３とを備える。そして、ハードディスク１４１はバスＢＳ２を介してコントローラ１４２と接続される。
【００６１】
ハードディスク１４１は、インターネット配信によってコンピュータ１４０に配信された音楽データをバスＢＳ２を介して記憶する。コントローラ１４２は、携帯電話機３０のユーザから通信ケーブル１４５および外部インタフェース１４３を介して音楽データの送信要求があると、ハードディスク１４１から音楽データを読出し、外部インタフェース１４３を介して外部へ出力する。
【００６２】
外部インタフェース１４３は、携帯電話機３０から通信ケーブル１４５を介してコンピュータ１４０に入力された信号をコントローラ１４２に入力するとともに、コントローラ１４２からの信号を外部へ出力する。
【００６３】
インターネット配信によって配信サーバからコンピュータ１４０に音楽データが配信され、コンピュータ１４０のハードディスク１４１にバスＢＳ２を介して音楽データが記憶されている。
【００６４】
ユーザがコンピュータ１４０を操作して音楽データを送信するよう指示すると、コントローラ１４２は、指示された音楽データをバスＢＳ２を介してハードディスク１４１から読出し、外部インタフェース１４３を介して携帯電話機３０へ送信する。
【００６５】
送信後、携帯電話機３０のユーザは、上述したように、音楽データが受信された順序ではなく、最後に受信した音楽データから再生を開始する。そして、ユーザは、携帯電話機３０に接続されたヘッドホーン５０を介して再生された音楽を聴く。
【００６６】
また、コンピュータ１４０は、インターネット配信によって音楽データと、その音楽データのメタデータとを受信しなくても良く、音楽データが記録されたＣＤ−ＲＯＭをコンピュータ１４０に接続されたＣＤ−ＲＯＭドライブ（図示せず）に装着し、そのＣＤ−ＲＯＭから音楽データを読出して携帯電話機３０へ送信しても良い。また、ＣＤ−ＲＯＭに記録された音楽データを、一旦、ハードディスク１４１に記憶しておいても良い。
【００６７】
さらに、コンピュータ１４０は、ＣＤリッピングによって音楽データを生成しても良い。リッピングとは、音楽ＣＤから取得した音楽データを、音楽再生モジュールで再生できるように変換することを言う。まず、取得した音楽データに対してライセンスを生成する。次いで、取得した音楽データを音楽再生部にて再生可能なコンテンツデータに変換した後、生成したライセンスに含まれるコンテンツキーにて復号可能な形式に変換を行なうもので、リッピングによって得られたライセンスには、複製ができないように管理される。したがって、音楽ＣＤからの１次複製であるＣＤリッピングは、ライセンスが複製できない構成を取ることで著作権を保護した適法な行為である。
【００６８】
ＣＤを用いた場合、音楽ＣＤから取得して生成した音楽データとライセンスは、一旦、ハードディスク１４１に記録してから携帯電話機３０へ送信しても良いい。
【００６９】
なお、ＣＤリッピングによる場合、コンピュータ１４０は、音楽ＣＤから取得した音楽データのみを携帯電話機３０へ送信する。したがって、音楽データのメタデータはリッピングを行なう者がコンピュータ１４０のキーボード（図示せず）からメタデータを入力する。そして、コンピュータ１４０は、入力されたメタデータを外部インタフェース１４３、および通信ケーブル１４５を介してメモリカード４０へ送信する。
【００７０】
これによって、ＣＤリッピングによって音楽データを受信した場合にも、音楽データのメタデータに基づいて再生リスト６１が作成され得る。
【００７１】
その他については、実施の形態１と同じである。
［実施の形態４］
図９を参照して、実施の形態４について説明する。図９は、コネクション型の通信方式による音楽データの配信システムを示したものである。
【００７２】
配信サーバ１０は、音楽データを保持し、端末装置３２からの音楽データの配信要求に応じて、音楽データをモデム１１、公衆回線網２１、およびモデム３３を介して端末装置３２へ送信する。
【００７３】
モデム１１は、配信サーバ１０と公衆回路網２１との間に配置される。そして、モデム１１は、配信サーバ１０から出力された音楽データを公衆回線網２１に適合する信号形式に変換し、その変換した音楽データを公衆回線網２１へ出力する。また、モデム１１は、公衆回線網２１から受取った信号を配信サーバ１０に適合する信号形式に変換し、その変換した信号を配信サーバ１０へ出力する。たとえば、公衆回線網２１が公衆電話網の場合、モデム１１は、アナログ信号からディジタル信号へ、またはディジタル信号からアナログ信号への変換を行なう。
【００７４】
公衆回線網２１は、コネクション型通信を行なう回線網であり、モデム１１からの信号をモデム３３へ送信し、また、モデム３３からの信号をモデム１１へ送信する。つまり、公衆回線網２１は、モデム１１とモデム３３とを１対１に接続し、相互間で信号のやり取りを行なう回線網である。このような公衆回線網２１の具体例として公衆電話網がある。なお、本発明において、「コネクション型通信」とは、通信を行なうにあたり、前もって通信に必要なネットワークリソースを確保して通信を行なう方式を言う。すなわち、前もって通信路を確保してから通信を行なう方式である。
【００７５】
したがって、図９においては、公衆回線網２１は、配信サーバ１０と端末装置３２との間で通信を行なう前に、モデム１１とモデム３３とを接続する通信路を確保した後に、相互間で信号のやり取りを行なう。
【００７６】
モデム３３は、公衆回路網２１と端末装置３２との間に配置される。そして、モデム３３は、端末装置３２から出力されたデータを公衆回線網２１に適合する信号形式に変換し、その変換したデータを公衆回線網２１へ出力する。また、モデム３３は、公衆回線網２１から受取った信号を端末装置３２に適合する信号形式に変換し、その変換した信号を端末装置３２へ出力する。
【００７７】
公衆回線網２１が公衆電話網である場合、モデム１１，３３は、それぞれ、アナログ信号からディジタル信号への変換、またはディジタル信号からアナログ信号への変換を行なう。
【００７８】
端末装置３２は、モデム３３から受取った音楽データを１つのファイル形式によって装着されたメモリカード４０へ記録する。
【００７９】
端末装置３２のユーザは、音楽データの配信要求を端末装置３２に入力すると、端末装置３２は、入力された配信要求をモデム３３へ出力する。そして、モデム３３は公衆回線網２１に適合する信号形式に配信要求を変換し、公衆回線網２１へ配信要求を出力する。そうすると、公衆回線網２１は、入力された配信要求をモデム１１へ出力し、モデム１１は配信サーバ１０に適合する信号形式に配信要求を変換し、配信サーバ１０へ出力する。
【００８０】
配信サーバ１０は、配信要求を受取ると、要求された音楽データを保持するか否かを判別する。そして、配信サーバ１０は、要求された音楽データを保持しないとき、その旨をモデム１１、公衆回線網２１、およびモデム３３を介して端末装置３２へ送信し、配信要求を拒絶する。配信サーバ２１は、要求された音楽データを保持するとき、音楽データをモデム１１、公衆回線網２１、およびモデム３３を介して端末装置３２へ送信する。
【００８１】
端末装置３２は、図２に示すブロック図と同じブロック図から成る。端末装置３２が音楽データを受信すると、コントローラ３０３は、受信した音楽データをメモリカードインタフェース３０５を介してメモリカード４０へ記録するとともに、その音楽データの再生番号をメモリ３０７に更新記憶する。
【００８２】
そして、端末装置３２のユーザは、上述したように、新たに受信した音楽データから再生を開始する。そして、ユーザは、端末装置３２に接続されたヘッドホーン５０を介して再生された音楽を聴く。その他は、実施の形態１と同じである。
【００８３】
なお、公衆回線網は、公衆ディジタル回線（ＩＳＤＮ）であっても良い。
［実施の形態５］
図１０を参照して、実施の形態５について説明する。図１０は、コネクションレス型の通信方式による音楽データの配信システムを示したものである。
【００８４】
配信サーバ１０は、音楽データを保持し、端末装置３２からの音楽データの配信要求に応じて、音楽データをケーブルモデム１２、ケーブルテレビジョン（ＣＡＴＶ）網２２、およびケーブルモデム３４を介して端末装置３２へ送信する。
【００８５】
ケーブルモデム１２は、配信サーバ１０とＣＡＴＶ網２２との間に配置され、ＣＡＴＶ網２２上の信号を配信サーバ１０に適合する信号に変換し、または配信サーバ１０からの信号をＣＡＴＶ網２２に適合する信号に変換する。ケーブルモデム３４は、ＣＡＴＶ網２２と端末装置３２との間に配置され、ＣＡＴＶ網２２上の信号を端末装置３２に適合する信号に変換し、または端末装置３２からの信号をＣＡＴＶ網２２に適合する信号に変換する。
【００８６】
ＣＡＴＶ網２２は、コネクションレス型通信を行なうものである。「コネクションレス型」とは、通信の開始に先だってネットワークとの間で通信路の確保を行なわずに通信を行なう方式である。したがって、配信サーバ１０から端末装置３２へ音楽データを送信する場合、音楽データの先頭に通信相手である端末装置３２のアドレスを付与してＣＡＴＶ網２２に送出する。そうすると、ＣＡＴＶ網２２内のルータが音楽データの先頭に付与されたアドレスに従って通信相手である端末装置３２へデータを送り届けてくれる。端末装置３２から配信サーバ１０へデータを送信する場合も同じである。
【００８７】
ユーザが端末装置３２に設けられたキー操作部（図示せず）から曲番号を指定して配信要求を行なうと、端末装置３２は、ケーブルモデム３４を介して曲番号をＣＡＴＶ網２２に送出する。そして、配信サーバ１０は、ＣＡＴＶ網２２、およびケーブルモデム１２を介して端末装置３２からの曲番号を受信する。配信サーバ１０は、曲番号を受信すると、その受信した曲番号の音楽データを保持するか否かを判別し、音楽データを保持しないとき、その旨をケーブルモデム１２、ＣＡＴＶ網２２、およびケーブルモデム３４を介して端末装置３２へ送信し、配信要求を拒絶する。
【００８８】
配信サーバ１０は、受信した曲番号の音楽データを保持するとき、音楽データをケーブルモデム１２、およびＣＡＴＶ網２２、およびケーブルモデム３４を介して端末装置３２へ送信する。
【００８９】
そして、端末装置３２は、受信した音楽データを装着されたメモリカード４０に記録する。
【００９０】
端末装置３２から配信サーバ１０への音楽データの配信要求に際しては、ＣＡＴＶ網２２およびケーブルモデム１２を介して複数の端末装置３２，３２が各々独立に配信サーバ１０へアクセス可能である。つまり、配信サーバ１０と端末装置３２との間でデータの通信を行なう場合、配信サーバ１０、または端末装置３２が、独自に、データをＣＡＴＶ網２２に送出し、ＣＡＴＶ網２２内のルータが通信の相手先までデータを送り届ける。したがって、コネクションレス型の通信方式を用いた配信システムにおいては、コネクション型の通信方式を用いた配信システムのように配信サーバ１０と端末装置３２との間で回線を接続せずにデータの送受信を行なうことができるが、データが集中してＣＡＴＶ網２２が混雑しないようにすることが重要である。
【００９１】
コネクションレス型の通信方式としては、ＣＡＴＶ網２２の他にインターネット、ＬＡＮ、および無線パケット通信等が考えられる。これらの通信方式を用いた場合もＣＡＴＶ網２２を用いた場合と同様に配信サーバ１０と端末装置３２との間でデータの送受信を行なうことができる。
【００９２】
なお、無線パケット通信を用いた場合、１曲分の音楽データは一度に端末装置３２へ送信されるのではなく、複数のパケットに分割されて端末装置３２へ送信される。その場合、複数の端末装置３２，３２からの複数のパケットは、時分割方式または周波数分割方式によって、随時、送信される。したがって、配信サーバ１０から端末装置３２へ１曲分の音楽データを無線パケット通信によって送信する場合、端末装置３２は、１つのパケットで送られてくる所定の単位ごとに音楽データを記憶する。
【００９３】
端末装置３２が音楽データを受信すると、コントローラ３０３は、受信した音楽データをメモリカードインタフェース３０５を介してメモリカード４０へ記録するとともに、その音楽データの再生番号をメモリ３０７に更新記憶する。
【００９４】
そして、端末装置３２のユーザは、上述したように、新たに受信した音楽データから再生を開始する。そして、ユーザは、端末装置３２に接続されたヘッドホーン５０を介して再生された音楽を聴く。その他は、実施の形態１と同じである。
【００９５】
［実施の形態６］
図１，７〜１０に示す配信システムを用いて暗号化音楽データを携帯電話機３０または端末装置３２へ配信しても良い。その場合、配信サーバ１０は、暗号化音楽データと、その暗号化音楽データを復号するためのコンテンツ鍵とを保持する。そして、配信サーバ１０は、携帯電話機３０または端末装置３２からの暗号化音楽データの配信要求に応じて、暗号化音楽データと、コンテンツ鍵とを携帯電話機３０または端末装置３２へ配信する。暗号化音楽データ等の配信に際しては、コンテンツ鍵を暗号化して配信する。
【００９６】
コンテンツ鍵を暗号化して配信する場合、公開鍵暗号方式等の各種の暗号化方式が用いられる。公開鍵暗号方式とは、配信サーバ１０が秘密復号鍵を保持しており、その秘密復号鍵と対をなす公開暗号鍵をメモリカード４０に配布し、公開暗号鍵によって暗号化を行なって配信サーバ１０とメモリカード４０との間でデータ等をやり取りする方式である。この場合、公開暗号鍵によって暗号化された暗号化データは、秘密復号鍵によって復号され得るように、公開暗号鍵および秘密復号鍵が生成される。
【００９７】
そして、暗号化音楽データと、暗号化されたコンテンツ鍵とは、携帯電話機３０または端末装置３２を介してメモリカード４０に記録される。携帯電話機３０または端末装置３２のユーザは、上述したように、新たに配信された暗号化音楽データから再生を開始する。そして、ユーザは、携帯電話機３０または端末装置３２に接続されたヘッドホーン５０を介して再生された音楽を聴く。
【００９８】
携帯電話機３０または端末装置３２が配信サーバ１０から暗号化音楽データと、その暗号化音楽データを復号するためのコンテンツ鍵とを受信するとき、携帯電話機３０または端末装置３２の再生部３０６は、図１１に示すように復号回路３０６１と、再生回路３０６２とから成る。復号回路３０６１は、バスＢＳ１から入力された暗号化音楽データを、コンテンツ鍵によって復号する。また、再生回路３０６２は、復号回路３０６１によって復号された平文の音楽データを再生し、スピーカ３０８または端子３０９へ出力する。
【００９９】
この場合、配信サーバ１０は、暗号化音楽データと、コンテンツ鍵とを保持し、携帯電話機３０または端末装置３２からの配信要求に応じて、選択された暗号化音楽データと、コンテンツ鍵とを携帯電話機３０または端末装置へ送信する。
【０１００】
そして、携帯電話機３０または端末装置３２は、暗号化音楽データと、コンテンツ鍵とを受信し、コントローラ３０３は、暗号化音楽データと、コンテンツ鍵とをメモリカードインタフェース３０５を介してメモリカード４０へ記録する。
【０１０１】
メモリカード４０では、図１２に示すように、受信した暗号化音楽データの再生リスト６１が作成され、再生リスト６１の番号と、コンテンツとが対応付けられて保持される。この場合、各コンテンツ１〜４は、コンテンツ鍵１〜４と、暗号化音楽データ１〜４とが、それぞれ、対応付けられて１つのファイルとして保持される。そして、メモリカード４０は、コントローラ３０３から再生リスト６１の再生番号（Ｎｏ．）が入力されると、その再生番号に対応する暗号化音楽データと、コンテンツ鍵とをメモリカードインタフェース３０５を介してバスＢＳ１へ出力する。
【０１０２】
その他については、実施の形態１と同じである。
本発明においては、新たな音楽データがメモリカード４０に記録された後、携帯電話機３０または端末装置３２から抜かれると、メモリ３０７は記憶した再生番号を消去する。したがって、メモリカード４０が抜かれた後に、再度、装着されても、メモリ３０７は最後に受信した音楽データの再生番号を記憶していないので、携帯電話機３０または端末装置のユーザは、新たに受信した音楽データから再生を開始することはできない。メモリカード４０が携帯電話機３０または端末装置から、一度、抜かれ、再度、装着されても、その間にメモリカード４０に新たに音楽データが記録されている可能性もあり、どの音楽データが最後に記録された音楽データであるか明確ではないので、本発明においては、メモリカード４０が抜かれた場合は想定していない。
【０１０３】
また、新たに受信した音楽データから再生を開始するための情報である再生番号は、メモリ３０７に記憶される場合に限られず、メモリカード４０内に記憶されていれも良い。つまり、メモリカード４０は、次に再生されるべきコンテンツデータの再生番号を保持するメモリ（図示せず）を保持していても良い。
【０１０４】
本発明によれば、携帯電話機等の端末装置は、新たに受信した音楽データの再生番号を記憶しており、再生要求が入力されると、その記憶した再生番号に該当する音楽データから再生を開始するので、携帯電話機のユーザは、新たに受信した音楽データを検索する手間を省いて、新たに受信した音楽データから再生を開始できる。
【０１０５】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【図１】  実施の形態１における携帯電話網を用いたコンテンツデータの配信システムを概念的に説明する概略図である。
【図２】  図１に示す携帯電話機のブロック図である。
【図３】  図１に示すメモリカードに記録されるコンテンツのデータフォーマットを示す図である。
【図４】  新たな音楽データを受信したときのメモリカードに記録されるコンテンツのデータフォーマットを示す図である。
【図５】  複数曲の音楽データを新たに受信したときのメモリカードに記録されるコンテンツのデータフォーマットを示す図である。
【図６】  新たに受信した音楽データから再生を開始するフローチャートである。
【図７】  実施の形態２における携帯電話網を用いたコンテンツデータの配信システムを概念的に説明する概略図である。
【図８】  実施の形態３におけるコンピュータを用いたコンテンツデータの配信システムを概念的に説明する概略図である。
【図９】  実施の形態４におけるコネクション型の通信方式によってコンテンツデータを配信する配信システムを概念的に説明する概略図である。
【図１０】  実施の形態５におけるコネクションレス型の通信方式によってコンテンツデータを配信する配信システムを概念的に説明する概略図である。
【図１１】  暗号化音楽データを再生する場合の図２に示す再生部のブロック図である。
【図１２】  暗号化音楽データを受信したときのメモリカードに記録されるコンテンツのデータフォーマットを示す図である。
【符号の説明】
１０  配信サーバ、１１，３３  モデム、１２，３４  ケーブルモデム、２０携帯電話網、３０，３１  携帯電話機、３２  端末装置、４０，４１  メモリカード、５０，５１  ヘッドホーン、６１  再生リスト、６２  欄、１４０  コンピュータ、１４１  ハードディスク、１４２，３０３  コントローラ、１４３外部インタフェース、１４５  通信ケーブル、３０１  通信部、３０２  キー操作部、３０４  ディスプレイ、３０５  メモリカードインタフェース、３０６再生部、３０７  メモリ、３０８  スピーカ、３０９  端子。
【図１】
0004270730.tif 000002
【図２】
0004270730.tif 000003
【図３】
0004270730.tif 000004
【図４】
0004270730.tif 000005
【図５】
0004270730.tif 000006
【図６】
0004270730.tif 000007
【図７】
0004270730.tif 000008
【図８】
0004270730.tif 000009
【図９】
0004270730.tif 000010
【図１０】
0004270730.tif 000011
【図１１】
0004270730.tif 000012
【図１２】
0004270730.tif 000013